(57)【特許請求の範囲】
【請求項１】
筐体の開口部を開閉する扉を開位置に保持するためのステーであって、互いに一端部が相対回動可能に枢着された第１及び第２の一対のアームを具備し、
前記第１及び第２のアームは、互いに垂直平面内で相対回転するように配置され、
前記第１のアームの他端部は、前記筐体の下部に水平回転可能に支持された第１の軸受部材に水平方向の枢ピンにより相対回転可能に連結され、
前記第２のアームの他端部は、前記扉の内側下部に水平回転可能に支持された第２の軸受部材に水平方向の枢ピンにより相対回転可能に連結され、
前記第１及び第２の一対のアームが、扉の閉回動時に、互いに上方に屈折し、扉の開回動時に筐体及び扉に対してそれぞれ水平回転しつつ相互の角度を増し、開放時に、ほぼ水平一直線上に伸長するように構成されることを特徴とする扉用ステー。
【請求項２】
前記筐体の開口部を囲む固定枠体を構成する水平の下枠上に第１の取付座が固着され、この第１の取付座上に、前記第１の軸受部材が垂直の枢ピンにより水平回転自在に支持され、
前記扉の内側面に支持部材が固着され、この支持部材の水平の取り付け面上に、第２の取付座が固着され、この第２の取付座上に、前記第２の軸受部材が垂直の枢ピンにより水平回転自在に支持されることを特徴とする請求項１に記載の扉用ステー。
【請求項３】
前記第１のアーム又は前記第２のアームの、いずれか一方が、他方のアームとの枢支点を越えて他方のアーム側へ延出し、かつ当該延出部の上縁の少なくとも一部に、伸長時に他方のアームの上縁に当接して伸長状態を維持する当接部を具備することを特徴とする請求項１又は２に記載の扉用ステー。
【請求項４】
筐体と、この筐体の開口を開閉する扉とを具備し、当該筐体と扉との間に請求項１に記載のステーが介設されることを特徴とするキャビネット。
【発明の詳細な説明】
【技術分野】
【０００１】
この発明は、筐体の開口部を開閉する扉を開位置に保持するためのステーと、このステーを装着したキャビネットに関する。
【背景技術】
【０００２】
一般に、この種のステーは、互いに一端部が回動可能に連結された第１、第２一対のアームを有しており、第１アームの他端部は筐体に、第２アームの他端部は扉に、それぞれ水平面内で相対回転可能に連結される（例えば特許文献１参照）。第１および第２アームは、全体としてほぼ「く」字状をなしており、扉を開回動させると互いのなす角度が大きくなる。そして、扉が開位置に達すると、互いのなす角度が１８０°近くの大きな角度になり、第１、第２アームがほぼ一直線上に並ぶ。何らかの手段でこの状態を保持して扉の閉回動を阻止する。
【先行技術文献】
【特許文献】
【０００３】
【特許文献１】特開２００１−１１５７２０号公報
【発明の概要】
【発明が解決しようとする課題】
【０００４】
上記従来の扉用ステーにおいては、特に扉の閉鎖状態においてアームが筐体の収納空間内に比較的大きく張り出し、収納空間を減殺し、あるいは収納機器の配置が制限されるという問題点がある。
したがって、この出願に係る発明は、扉の閉鎖時に、アームが筐体の収納空間内に張り出す寸法を可及的に小さくでき、収納機器の配置の自由度を高めることができる扉用ステーを提供することを目的としている。
【課題を解決するための手段】
【０００５】
以下、添付図面の符号を参照して説明するが、本発明はこれに限定されるものではない。
上記課題を解決するための、この出願に係る発明の扉用ステー１は、筐体２２の開口部２２ａを開閉する扉２３を開位置に保持するためのステーであって、互いに一端部が相対回動可能に枢着された第１及び第２の一対のアーム２，３を具備する。第１及び第２のアーム２，３は、互いに垂直平面内で相対回転するように配置される。第１のアーム２の他端部は、筐体２２の下部に水平回転可能に支持された第１の軸受部材５に水平方向の枢ピン６により相対回転可能に連結される。第２のアーム３の他端部は、扉２３の内側下部に水平回転可能に支持された第２の軸受部材９に水平方向の枢ピン１０により相対回転可能に連結される。それにより、第１及び第２の一対のアーム２，３が、扉２３の閉回動時に、互いに上方に屈折し、扉２３の開回動時に筐体２２及び扉２３に対してそれぞれ水平回転しつつ相互の角度を増し、開放時に、ほぼ水平一直線上に伸長するように構成される。
筐体２２が開口部２２ａを囲む固定枠体２４を有する場合に、ステー１は以下の構成を取ることができる。すなわち、固定枠体２４を構成する水平の下枠２４ａ上に第１の取付座７が固着され、この第１の取付座７上に、第１の軸受部材５が垂直の枢ピン８により水平回転自在に支持される。扉２３の内側面に支持部材１３が固着され、この支持部材１３の水平の取り付け面１３ａ上に、第２の取付座１１が固着され、この取付座上１１に、第２の軸受部材９が垂直の枢ピン１２により水平回転自在に支持される。
また、ステー１は以下の構成を取ることができる。すなわち、第１のアーム２又は第２のアーム３の、いずれか一方が、他方のアームとの枢支点６を越えて他端側へ延出し、かつ当該延出部の上縁の少なくとも一部に、伸長時に他方のアームの上縁に当接して伸長状態を維持する当接部を具備する。
また、この出願に係る発明のキャビネット２１は、筐体２２と、この筐体２２の開口２２ａを開閉する扉２３との間に、上記構成のステー１を介設して構成される。
【発明の効果】
【０００６】
この出願に係る発明の扉用ステー１は、アーム２，３が垂直方向に屈折するため、扉２３の閉鎖時に、アーム２，３が筐体２２の収納空間内に張り出す寸法を可及的に小さくでき、収納機器の配置の自由度を高めることができる。
また、この出願に係る発明のキャビネット２１は、垂直方向に屈折する扉用ステー１を用いるため、筐体２２の収納空間を減殺させることなく有効に利用することができる。
【図面の簡単な説明】
【０００７】
【図１】本発明の実施形態に係る扉用ステーを装着したキャビネットの一部の斜視図であり、（Ａ）は閉扉状態、（Ｂ）は４５°開扉状態、（Ｃ）は全開状態を示す。
【図２】図１のキャビネットに於ける扉を全開にした状態の正面図である。
【図３】図１の扉用ステーの正面図である。
【図４】図１の扉用ステーの平面図である。
【図５】図３におけるＶ−Ｖ断面図である。
【発明を実施するための形態】
【０００８】
図面を参照してこの発明の実施の形態を説明する。
図１において、キャビネット２１は、筐体２２と、この筐体２２の開口２２ａを開閉する扉２３とを具備し、筐体２２と扉２３との間にステー１が介設される。ステー１は、筐体２２の扉２３を開位置に保持するためのものである。筐体２２には、開口部２２ａを囲む固定枠体２４が設けられる。
【０００９】
ステー１は、枢ピン４により一端部が互いに相対回動可能に枢着された第１及び第２の一対のアーム２，３を具備する。キャビネット２１への装着状態において、アーム２，３は、互いに垂直平面内で相対回転するように、枢ピン４を水平に向けて配置される。
【００１０】
アーム２の他端部は、筐体２２の下部に、水平回転可能に支持された第１の軸受部材５に、水平方向の枢ピン６により、相対回転可能に連結される。軸受部材５は、固定枠体２４を構成する水平の下枠１４ａの上に固着された取付座７上に、垂直の枢ピン８（図３，４）により、水平回転自在に支持される。
【００１１】
第２のアーム３の他端部は、扉２３の内側下部に、水平回転可能に支持された第２の軸受部材９に、水平方向の枢ピン１０により、相対回転可能に連結される。すなわち、扉２３の内側面には、支持部材１３が固着され、この支持部材１３の水平の取付片１３ａ上に、第２の取付座１１が固着され、この取付座１１上に、第２の軸受部材９が、垂直の枢ピン１２（図３，４）により水平回転自在に支持される。
第１及び第２の一対のアーム２，３は、扉２３の閉回動時に、互いに上方に屈折し（図１Ａ，Ｂ）、扉２３の開回動時に筐体２２及び扉２３に対してそれぞれ水平回転しつつ、相互の角度を増し、全開時に、ほぼ水平一直線上に伸長する（図１Ｃ）ように構成される。
【００１２】
図示の実施形態において、第２のアーム３は、図５に示すように、板材を屈曲して形成され、平行一対の側板部３ａと側板部の上縁間を接続する頂板部３ｂとを有する。第２のアーム３は、第１のアーム２との枢支点を越えて第１のアーム２側へ延出している。第１のアーム２の一端部は、第２のアーム３の延出部分の側板３ａ間へ挿入され（図５）、したがって、伸長時に頂板部３ｂが、第１のアーム２の上縁に当接して伸長状態を維持する。この伸長状態における第１のアーム２と第２のアーム３との角度は、デッドポイントである１８０°をわずかに超える角度となるように設定されており、これにより、扉２３の閉鎖方向の動きが確実にロックされる。なお、図示しないが、第１のアーム２と第２のアーム３の形状を入れ替えることができる。
【００１３】
いま、図１（Ａ）に示す扉２３の閉鎖状態から、扉２３を開くと、それの回転に従い、図１（Ｂ）に示すように、アーム２とアーム３が、軸受け部材５，９と共に、筐体２２又は扉２３に対して水平回転しながら、相互角度を広げる。そして、図１（Ｃ）に示す扉２３の全開状態において、アーム２，３の角度が図２に示すように、１８０°をわずかに超える角度となった状態で、扉２３がロックされる。この状態から、扉２３を閉鎖するには、アーム２，３の枢着部をデッドポイントを越えるようにわずかに引き上げて両者間を屈曲させつつ扉２３を押し回せばよい。
【符号の説明】
【００１４】
１    ステー
２    第１のアーム
３    第２のアーム
４    枢ピン
５    第１の軸受部材
６    水平方向の枢ピン
７    取付座
８    垂直の枢ピン
９    第２の軸受部材
１０  水平方向の枢ピン
１１  取付座
１２  垂直の枢ピン
１３  支持部材
１３ａ  水平取付片
２１  キャビネット
２２  筐体
２２ａ  開口
２３  扉
２４  固定枠体
２４ａ  下枠
【図１】
0005364139.tif 000002
【図２】
0005364139.tif 000003
【図３】
0005364139.tif 000004
【図４】
0005364139.tif 000005
【図５】
0005364139.tif 000006